(57)【要約】【課題】調整のための目標値を入力する必要がなく、原稿の表面から読取った画像データと、裏面から読取った画像データの色合いが同じになるように調整可能な画像形成装置および画像形成装置の色合い調整方法を提供する。【解決手段】目標データの設定であると判別すると（ＳＰ２）、ＣＩＳ素子調整用の調整用シートを原稿台に載置し、スタートキーが操作されたことを判別すると（ＳＰ４）、ＣＣＤ素子により明暗度調整のためのパターンを読取って演算し、目標値としてＥＥＰＲＯＭにデジタルデータで格納し（ＳＰ５）、解像度調整のために調整用シートを原稿台に載置し、スタートキーが操作されたことを判別すると（ＳＰ７）、ＣＣＤ素子により解像度調整のためのパターンを読取って演算し、目標値としてＥＥＰＲＯＭにデジタルデータで格納する（ＳＰ８）。【選択図】図４
2007325090.tif 000002
【特許請求の範囲】
【請求項１】
原稿の一方面を読取る第１の読取手段と、
前記原稿の他方面を読取る第２の読取手段と、
色合いを調整するための調整用シートを前記第１の読取手段によって読取り、その読取出力の色合いデータを、前記第２の読取手段によって前記調整用シートを読取ったときの、前記第２の読取手段出力の色合いを調整するための目標値として設定する目標値データ設定手段とを備える、画像形成装置。
【請求項２】
前記第１の読取手段によって読取るための原稿が載置される原稿台と、
前記第１の読取手段によって前記原稿の一方面を読取り、前記第２の読取手段によって前記原稿の他方面を読取るために前記原稿を自動送りする自動原稿送り機構とを含み、
前記目標値データ設定手段は、前記原稿台に前記調整用シートが載置されて、前記第１の読取手段によって読取られた色合いデータを、前記自動送り機構で前記調整用シートを自動送りしたときに、前記第２の読取手段の読取出力の色合いを調整するための目標値として設定する、請求項１に記載の画像形成装置。
【請求項３】
前記色合いを調整するための予め定める固定されたデータを記憶する固定データ記憶手段と、
前記第１の読取手段によって読取られた色合いデータと、前記固定データ記憶手段に記憶されている予め定める固定されたデータとのいずれを目標値として前記目標値データ設定手段に設定するかを選択する選択手段とを備える、請求項１または２に記載の画像形成装置。
【請求項４】
前記色合いは、明暗度と、解像度とを含み、
前記調整用シートには、前記明暗度を調整するための明暗度パターンと、前記解像度を調整するための解像度パターンとが形成されている、請求項１から３のいずれかに記載の画像形成装置。
【請求項５】
原稿の一方面を第１の読取手段によって読取り、前記原稿の他方面を第２の読取手段によって読取る画像形成装置の色合い調整方法であって、
前記第２の読取手段出力の色合いを調整するための調整用シートを前記第１の読取手段によって読取って、読取出力の色合い調整データを目標値として設定するステップと、
前記第２の読取手段によって前記調整用シートを読取り、その読取出力の色合いデータが、前記目標値である色合いデータになるように前記第２の読取手段出力の色合いを調整するステップとを備える、画像形成装置の色合い調整方法。
【請求項６】
前記調整用シートには、位置調整用パターンと、前記色合い調整のための明暗度調整用パターンおよび解像度調整用パターンが形成されており、
前記第１の読取手段によって前記位置調整用パターンを読取って前記第２の読取手段の読取位置を調整するステップを含み、
前記読取位置を調整後に、前記色合い調整として前記明暗度と前記解像度とを調整する、請求項５に記載の画像形成装置の色合い調整方法。
【請求項７】
前記調整用シートは、位置調整用パターンが形成された第１の調整用シートと、前記色合い調整のための明暗度調整用パターンおよび解像度調整用パターンがそれぞれ形成された第２および第３の調整用シートを含み、
前記第１の読取手段によって前記第１の調整用シートから前記位置調整用パターンを読取って前記第２の読取手段の読取位置を調整するステップを含み、
前記読取位置を調整後に、前記第２および第３の調整用シートから順次明暗度調整用パターンと解像度調整用パターンとを読取って、前記色合い調整として前記明暗度と前記解像度とを調整する、請求項５に記載の画像形成装置の色合い調整方法。
【発明の詳細な説明】
【技術分野】
【０００１】
この発明は画像形成装置および画像形成装置の色合い調整方法に関し、特に、カラー画像を形成する画像形成装置および画像形成装置の色合い調整方法に関する。
【背景技術】
【０００２】
カラーレーザプリンタや、カラーコピー機や、スキャナや、ファクシミリ機能を有するデジタル複合機などの画像形成装置においては、記録用紙上の画像出力位置の調整が必要とされる。これは、記録紙サイズの相違や、給紙カセットごとの搬送経路の相違などによって、搬送精度にばらつきが生じるためである。
【０００３】
また、両面原稿を読取る読取装置を備えた画像形成装置は、自動原稿送り機構により原稿を自動送りし、両面原稿のうちの表面をＣＣＤ（Ｃｈａｒｇｅ  Ｃｏｕｐｌｅｄ  Ｄｅｖｉｃｅ）素子で読取り、裏面をＣＩＳ（Ｃｏｎｔａｃｔ  Ｉｍａｇｅ  Ｓｅｎｓｏｒ：密着イメージセンサ）素子で読取っている。このため、表面と裏面とにおける位置関係が相対的に大きなずれとなる場合がある。さらに、原稿の表面と裏面の読取出力の明暗度と解像度とを含む色合いが異なってしまうことがある。
【０００４】
このような不都合を解消するために、位置調整と、色合い調整とを行う必要がある。読取装置は、自動原稿送り機構により原稿を自動送りすることなく、ユーザが原稿を原稿台に載置することによっても、前記ＣＣＤ素子による原稿の読取りも可能になっている。
【０００５】
このような画像形成装置における調整は、ＣＣＤ素子調整用の調整用シートと、ＣＩＳ素子調整用の調整シートを用いて行われており、最初に、ＣＣＤ素子調整用の調整用シートを自動送りすることなく原稿台に載置して、位置調整と、明暗度調整と、解像度調整を行うことでＣＣＤ素子に関連する調整が行われる。その後、ＣＣＤ素子調整用の調整用シートを自動送りし、ＣＣＤ素子による表面読取に関しては、明暗度調整および解像度調整は既に終えているので位置調整のみを行っている。その後、ＣＩＳ素子調整用の調整用シートを用いて、ＣＩＳ素子に読取に関する位置調整と、明暗度調整と、解像度調整を行っている。
【０００６】
ＣＩＳ素子調整用の調整用シートは、位置調整と、明暗度調整と、解像度調整とを行うために、それぞれ異なる調整パターンが予め形成されており、明暗度調整と、解像度調整においてはそれぞれの色についての目標値が調整用シートに記入されており、その目標値に向けて調整する必要がある。目標値は、これまではサービスマンが手動で目標値を入力する必要があり、入力ミスを生じやすいという問題があった。
【０００７】
一方、特開２００６-５４８７号公報（特許文献１）には、記録用紙両面に出力された調整用画像を読込み、表面の画像と裏面の画像とを合成して表示し、表示された各調整用画像を移動させて、移動した各調整画像の位置変化を算出し、算出された位置変化量に応じて調整値を設定する画像出力システムが記載されている。
【特許文献１】特開２００６-５４８７号公報（要約、図３）
【発明の開示】
【発明が解決しようとする課題】
【０００８】
特許文献１に記載された画像出力システムは、算出された位置変化量に応じて調整値を設定するものであり、位置調整に適用できても色合い調整には適用することはできない。
【０００９】
そこで、この発明の目的は、調整のための目標値を入力する必要がなく、原稿の表面から読取った画像データと、裏面から読取った画像データの色合いが同じになるように調整可能な画像形成装置および画像形成装置の色合い調整方法を提供することである。
【課題を解決するための手段】
【００１０】
この発明は、原稿の一方面を読取る第１の読取手段と、原稿の他方面を読取る第２の読取手段と、色合いを調整するための調整用シートを第１の読取手段によって読取り、その読取出力の色合いデータを、第２の読取手段によって調整用シートを読取ったときの、第２の読取手段出力の色合いを調整するための目標値として設定する目標値データ設定手段とを備える。
【００１１】
具体的には、第１の読取手段によって読取るための原稿が載置される原稿台と、第１の読取手段によって原稿の一方面を読取り、第２の読取手段によって原稿の他方面を読取るために原稿を自動送りする自動原稿送り機構とを含み、目標値データ設定手段は、原稿台に調整用シートが載置されて、第１の読取手段によって読取られた色合いデータを、自動送り機構で調整用シートを自動送りしたときに、第２の読取手段の読取出力の色合いを調整するための目標値として設定する。
【００１２】
好ましくは、色合いを調整するための予め定める固定されたデータを記憶する固定データ記憶手段と、第１の読取手段によって読取られた色合いデータと、固定データ記憶手段に記憶されている予め定める固定されたデータとのいずれを目標値として目標値データ設定手段に設定するかを選択する選択手段とを備える。
【００１３】
好ましくは、色合いは、明暗度と、解像度とを含み、調整用シートには、明暗度を調整するための明暗度パターンと、解像度を調整するための解像度パターンとが形成されている。
【００１４】
この発明の他の局面は、原稿の一方面を第１の読取手段によって読取り、前稿の他方面を第２の読取手段によって読取る画像形成装置の色合い調整方法であって、第２の読取手段出力の色合いを調整するための調整用シートを第１の読取手段によって読取って、読取出力の色合い調整データを目標値として設定するステップと、第２の読取手段によって調整用シートを読取り、その読取出力の色合いデータが、目標値である色合いデータになるように第２の読取手段出力の色合いを調整するステップとを備える。
【００１５】
具体的には、調整用シートには、位置調整用パターンと、色合い調整のための明暗度調整用パターンおよび解像度調整用パターンが形成されており、第１の読取手段によって位置調整用パターンを読取って第２の読取手段の読取位置を調整するステップを含み、読取位置を調整後に、色合い調整として明暗度と解像度とを調整する。
【００１６】
好ましくは、調整用シートは、位置調整用パターンが形成された第１の調整用シートと、色合い調整のための明暗度調整用パターンおよび解像度調整用パターンがそれぞれ形成された第２および第３の調整用シートを含み、第１の読取手段によって第１の調整用シートから位置調整用パターンを読取って第２の読取手段の読取位置を調整するステップを含み、読取位置を調整後に、第２および第３の調整用シートから順次明暗度調整用パターンと解像度調整用パターンとを読取って、色合い調整として明暗度と解像度とを調整する。
【発明の効果】
【００１７】
この発明によれば、色合いを調整するための調整用シートを第１の読取手段によって読取り、その読取出力の色合いデータを目標値として設定しておき、第２の読取手段によって調整用シートを読取って読取出力の色合いを調整するときに、設定した目標値を用いて調整するようにしたので、調整のための目標値を手動で入力する必要がなく、第１および第２の読取手段で原稿を読取ったときの画像データの色合いが同じになるように調整できる。
【発明を実施するための最良の形態】
【００１８】
図１は、この発明の一実施形態における画像形成装置３０の一例のデジタル複合機のブロック図である。図１において、画像形成装置３０は、制御部３１を含み、さらに制御部３１に接続されて制御される読取部１、選択手段として作動する操作部３２と、固定データ記憶手段および目標値データ設定手段として作動するＥＥＰＲＯＭ（Ｅｌｅｃｔｒｉｃａｌｌｙ  Ｅｒａｓａｂｌｅ  ＰＲＯＭ）３３と、表示部３４と、印刷部３５と、通信部３６とを備える。
【００１９】
読取部１は、後述の図２で説明するが、原稿の両面の読取が可能になっている。操作部３２は原稿の読取を指令するスタートスイッチやコピー枚数などをセットするテンキーや各種調整を指示するキーなどを含む。ＥＥＰＲＯＭ３３は、明暗度および解像度を含む色合いを調整するためのデータである目標値と、予め定める固定されたデータであるデフォルト値をデジタルデータとして記憶する。表示部３４は印刷部数などを表示する。印刷部３５は読取られた画像データや外部から与えられた画像データに基づく画像を印刷する。通信部３６は画像形成装置３０の一例のデジタル複合機をファクシミリ装置として使用するときの外部通信回線とのインタフェースである。
【００２０】
図２は、図１に示した読取部１の側面断面図である。図２において、読取部１は、原稿を自動送りする自動送り機構を有しており、この自動送り機構により原稿を自動送りして読取る方法と、原稿台に載置された原稿を読取る方法との両方での読取りが可能になっている。
【００２１】
図２において、前方が低くなるように給紙トレイ２が配置されており、その上に複数の原稿３が載置され、自動送りされる。操作部３２の図示しないスタートキーを操作することで、原稿３は給紙コロ４，分離コロ５，レジストコロ６により１枚ずつ搬送路７に送り出される。搬送路７には読取位置８が設けられており、プラテンローラ９により原稿３が読取位置８に搬送される。給紙コロ４，分離コロ５，レジストコロ６，プラテンローラ９は、給紙トレイ２上の原稿３を自動送りする自動送り機構として作動する。
【００２２】
読取位置８にはガラス１０が嵌め込まれている。ガラス１０の下部には、読取器１１が設けられている。読取器１１は、ランプ１２と、ミラー１３，１４，１５と、レンズ１６と、第１の読取手段として作動するＣＣＤ素子１７とを含み、原稿３の表面（一方面）から画像を読取る。すなわち、ランプ１２からガラス１０を介して原稿３の表面に光が照射され、ミラー１３，１４，１５により原稿３の表面で反射された反射光がレンズ１６を介してＣＣＤ素子１７に導かれて、原稿３の画像データが読取られる。ガラス１０よりも下流側である図２において右側には原稿台として作動するガラス２０が嵌め込まれている。
【００２３】
読取位置８よりも搬送路７の下流側には、第２の読取手段として作動するＣＩＳ素子２１がシェーディングローラ２３に対向して配置されている。ＣＩＳ素子２１にはランプ２２が内蔵されている。ＣＩＳ素子２１は自動送りされた原稿３が両面原稿であるときに裏面（他方面）から画像を読取る。シェーディングローラ２３は、原稿３を搬送する。読取られた原稿３は排出ローラ２４により排出トレイ２５に排出される。
【００２４】
給紙コロ４，分離コロ５，レジストコロ６，プラテンローラ９，ＣＩＳ素子２１，シェーディングローラ２３などは、カバー２６によって覆われており、カバー２６は排出トレイ２５とともに、ガラス１０，２０面に対して開閉できるようになっている。カバー２６を開いた状態で、ガラス２０上に原稿３を載置し、スタートキーを操作して読取器１１を図２において右方向に駆動することにより、ガラス２０上に載置された原稿３の読取が可能になっている。
【００２５】
図３は、画像形成装置３０による画像形成を調整するための調整用シート４０の一例を示す図である。図３において、調整用シート４０は、例えばＡ４サイズの用紙が用いられている。調整用シート４０には、位置調整のためのブラックパターン４１と、色合い調整のために明暗度調整のためのパターン４２および解像度調整のためのパターン４３が形成されている。
【００２６】
ブラックパターン４１は、それぞれが帯状で相互に交わるように調整用シート４０の各端部に沿って印刷されており、このブラックパターン４１を読取ることで先端タイミング調整、センター位置調整、等倍度調整などの位置調整が行われる。
【００２７】
調整用シート４０には、明暗度調整のためのパターン４２として、ブラック（Ｎ３．０）、ホワイト、グレー（Ｎ８．５）、グレー（Ｎ７．７）、グレー（Ｎ６．５）、グレー（Ｎ５．０）のそれぞれの色に着色された帯状のパターンが印刷されている。明暗度調整のためのパターン４２を読取ることで明暗度調整が行われる。前記Ｎはマンセル色番号を示す。
【００２８】
さらに、調整用シート４０には、解像度調整のためのパターン４３として、シアン（Ｃ）と、マゼンタ（Ｍ）とを混色したブルー（Ｂ）、シアン（Ｃ）、マゼンタ（Ｍ）、ブラック、イエロー（Ｙ）、マゼンタ（Ｍ）とイエロー（Ｙ）とを混色したレッド（Ｒ）、シアン（Ｃ）とイエロー（Ｙ）とを混色したグリーン（Ｇ）の帯状のパターンが印刷されている。これらの解像度調整のためのパターン４３の色を読取ることで、色ずれ、色味を含む解像度の各調整が行われる。
【００２９】
なお、調整用シート４０には、その他にジッタ調整用のパターンも設けられているが、図示を省略している。また、調整用シート４０は、ブラックパターン４１と明暗度調整のためのパターン４２を含む部分と、解像度調整のためのパターン４３を含む部分とに２分割されていてもよい。あるいは、ブラックパターン４１のみが形成された第１の調整用シートと、明暗度調整のためのパターン４２のみが形成された第２の調整用シートと、解像度調整のためのパターン４３のみが形成された第３の調整用シートを用いるようにしてもよい。
【００３０】
このような調整用シート４０は、ＣＣＤ素子１７の色合いを調整するためのもの（以下、調整用シート４０ａと称する）と、ＣＩＳ素子２１の色合いを調整するもの（以下、調整用シート４０ｂと称する）とが予め用意されている。以下の説明では、各調整用シート４０ａ，４０ｂにブラックパターン４１と、明暗度調整のためのパターン４２と、解像度調整のためのパターン４３とが形成されており、これらのＣＣＤ素子用の調整用シート４０ａと、ＣＩＳ素子用の調整用シート４０ｂとを用いて、ＣＣＤ素子１７と、ＣＩＳ素子２１とによる位置調整と、読取出力の明暗度調整および解像度調整とを行うものとして説明する。なお、ＣＩＳ２１は原稿の裏面を読取るものであるため、調整用シート４０ｂの各パターンは裏面に形成されているものとする。
【００３１】
まず、サービスマンが操作部３２で調整モードの位置調整を指示するキーを操作する。サービスマンはＣＣＤ素子用の調整用シート４０ａを図２に示した読取部１のガラス２０上に載置して、読取器１１によって調整用シート４０ａを読取らせる。位置調整を設定することで調整用シート４０ａのうちブラックパターン４１の部分のみを読取るようにＣＣＤ１７による読取領域が設定され、調整用シート４０ａから読取ったブラックパターン４１の画像データに基づいて、ソフト処理によって先端タイミング調整、センター位置調整、等倍度調整などの位置調整が行われる。
【００３２】
サービスマンは、続いて操作部３２から明暗度調整を指示するキーを操作する。明暗度調整を設定することで、制御部３１は、調整用シート４０ａの明暗度調整のためのパターン４２部分を読取るようにＣＣＤ素子１７による読取領域を設定する。各パターンからブラック（Ｎ３．０）、ホワイト、グレー（Ｎ８．５）、グレー（Ｎ７．７）、グレー（Ｎ６．５）、グレー（Ｎ５．０）の各画像データが読取られ、読取った画像データに基づいて明暗度の調整である入力γ調整が行われる。ここで、画像情報の明暗再現度を示す特性曲線の勾配度を階調度といい、この特性曲線の直線的変化部分をγと称する。入力γ調整は、特性曲線の直線性を調整することである。
【００３３】
サービスマンは、続いて操作部３２から解像度調整を指示するキーを操作する。解像度調整を設定することで、制御部３１により調整用シート４０ａの解像度調整のためのパターン４３部分を読取るようにＣＣＤ１７の読取領域が設定される。そして、パターン４３からシアン（Ｃ）と、マゼンタ（Ｍ）とを混色したブルー（Ｂ）、シアン（Ｃ）、マゼンタ（Ｍ）、ブラック、イエロー（Ｙ）、マゼンタ（Ｍ）とイエロー（Ｙ）とを混色したレッド（Ｒ）、シアン（Ｃ）とイエロー（Ｙ）とを混色したグリーン（Ｇ）の各画像データが読取られ、この読取った画像データから色ずれの調整が行われる。さらに、読取った画像データから計算により解像度の調整であるＭＴＦ調整が行われ、読取った画像データを目標値に合わせるように色味の調整であるマトリクス調整が行われる。ここで、画像情報の解像度は垂直，水平方向の画素数で表されるが、中間の周波数パターンでの特性を定量的に表すためにＭＴＦ（Ｍｏｄｕｌａｔｉｏｎ  Ｔｒａｎｓｆｅｒ  Ｆｕｎｃｔｉｏｎ）が用いられている。ＭＴＦ／マトリクス調整は解像度の調整である。
【００３４】
この一連の調整により、ガラス２０上に置かれた原稿３を読取部１が読取るときの位置調整および、読取器１１に含まれているＣＣＤ素子１７によって原稿３を読取るときの明暗度および解像度調整が終了する。
【００３５】
なお、制御部３１内のメモリ容量が多ければ、１回の読取りで、調整用シート４０ａからブラックパターン４１、明暗度調整のためのパターン４２、解像度調整のためのパターン４３を読取って読取りデータをメモリに記憶しておき、記憶した読取りデータに基づいて、位置調整、明暗度調整、解像度調整を行うようにしてもよい。
【００３６】
続いて、サービスマンは、読取部１で調整用シート４０ａを自動送りし、表面調整を行う。表面調整では、読取部１のＣＣＤ素子１７により調整用シート４０ａからブラックパターン４１の画像データを読取り、原稿を自動送りしたときの先端タイミング調整、センター位置調整、等倍度調整などの位置調整を行う。ＣＣＤ素子１７によって読取ったときの明暗度および解像度調整は、先ほどの調整で終了しているので、表面調整では、位置調整のみが行われる。ここまでの調整は従来と同じである。
【００３７】
原稿３の裏面は、ＣＣＤ素子１７ではなくＣＩＳ素子２１によって読取られるので、原稿３の裏面から読取った画像データと、原稿３の表面から読取った画像データとの明暗度と解像度とを一致させる必要がある。このため、裏面調整では、位置調整と、明暗度調整と、解像度調整とを行う必要がある。以下、その調整方法について具体的に説明する。
【００３８】
図４および図５は、この発明の一実施形態における画像形成装置３０の裏面調整動作を説明するためのフローチャートである。
【００３９】
ステップ（図示ではＳＰと略称する）ＳＰ１において、制御部３１は裏面の調整モードが設定されているか否かを判別し、サービスマンが操作部３２を操作して裏面の調整モードを設定すると、裏面の調整モードが設定されていることを判別する。ステップＳＰ２において、目標データの設定であるかあるいはデフォルト値を目標値として設定するかを判別する。
【００４０】
サービスマンが操作部３２を操作して目標データの設定を選択すれば、ステップＳＰ３において、制御部３１は、明暗度調整のためにＣＩＳ素子用の調整用シート４０ｂをセットしてスタートキーを押すように表示部３４に表示する。サービスマンは、調整用シート４０ｂのパターン面を図２のガラス２０上にセットし、操作部３２のスタートキーを押す。ステップＳＰ４において、スタートキーが押されたことを判別すると、ステップＳＰ５において、図２に示した読取部１の読取器１１を駆動して、ＣＣＤ素子１７によって、調整用シート４０ｂから明暗度調整用のパターン４２を読取る。制御部３１は、この読取値から明暗度調整のための目標値を演算して、デジタルデータとしてＥＥＰＲＯＭ３３に格納する。
【００４１】
ステップＳＰ６において、解像度調整のために調整用シート４０ｂをガラス２０上にセットし、スタートキーを操作するように表示部３３に表示する。サービスマンはその表示を見て、調整用シート４０ｂをガラス２０上にセットし、スタートキーを操作する。ステップＳＰ７において、スタートキーが押されたことを判別すると、ステップＳＰ８において、ＣＣＤ素子１７によって、解像度調整用のパターン４３の各画像データを読取る。制御部３１は、この読取値から解像度調整のための目標値を演算して、デジタルデータとしてＥＥＰＲＯＭ３３に格納する。
【００４２】
サービスマンは、既に目標値の設定が終了しており自動調整のみ実行したいときには、目標値を設定することなくデフォルト値を目標値として設定するために、操作部３２のデフォルト値を選択するキーを操作する。デフォルト値は、自動調整のみが失敗したときなどのように、再度設定モードを行う必要がないときに目標値として使用できるように設定されている。ステップＳＰ２において、目標値の設定でないことを判別したときには、ＥＥＰＲＯＭ３３に予め格納されている明暗度および解像度のデフォルト値を目標値としてＥＥＰＲＯＭ３３の別の記憶領域に格納する。
【００４３】
このように、ＣＩＳ素子２１を調整するための調整用シート４０ｂをＣＣＤ素子１７で読取り、明暗度および解像度調整のための目標値として設定することができる。
【００４４】
なお、上述の説明では、調整用シート４０ｂから明暗度調整用のパターン４２と、解像度調整用のパターン４３とを別個に読取るようにしたが、制御部３１内のメモリ容量が大きければ、明暗度調整用のパターン４２と、解像度調整用のパターン４３とを１回の読取りで読取って目標値をＥＥＰＲＯＭ３３に格納するようにしてもよい。
【００４５】
また、上述の説明では、原稿台であるガラス２０上にＣＩＳ素子用の調整用シート４０ｂを載置して、パターン４２，４３をＣＣＤ素子１７で読取り、明暗度および解像度の目標値をＥＥＰＲＯＭ３３に格納するようにしたが、調整用シート４０ｂを自動送り機構で送り、パターン４２，４３をＣＣＤ素子１７で読取って、明暗度および解像度の目標値をＥＥＰＲＯＭ３３に格納するようにしてもよい。
【００４６】
次に、図５に示す裏面の自動調整を開始する。ステップＳＰ１０において、自動調整の開始であるか否かを判別し、自動調整の開始でなければ、その他の処理を行い、自動調整の開始であれば、ステップＳＰ１１において、位置調整のために調整用シート４０ｂをセットし、スタートキーを押すように表示部３４に表示する。
【００４７】
サービスマンはその表示を見て、調整用シート４０ｂを読取部１にセットしてスタートキーを操作する。制御部３１は、ステップＳＰ１２において、スタートキーが操作されたことを判別し、ステップＳＰ１３において、調整用シート４０ｂを自動送りし、読取部１のＣＩＳ素子２１によって位置調整のためのブラックパターン４１を読取らせる。制御部３１は、その読取りデータに基づいて、ソフト処理により原稿３をＣＩＳ素子２１で読取るための先端タイミング調整、センター位置調整、等倍度調整などの位置調整を行う。
【００４８】
ステップＳＰ１４において、位置調整の終了を判別すると、ステップＳＰ１５において、明暗度調整のために調整用シート４０ｂをセットしてスタートキーを操作するように表示部３４に表示する。サービスマンは、その表示を見て、調整用シート４０ｂを読取部１にセットしてスタートキーを操作する。制御部３１は、ステップＳＰ１６において、スタートキーが操作されたことを判別し、ステップＳＰ１７において、調整用シート４０ｂを自動送りし、読取部１のＣＩＳ素子２１によって明暗度調整のためのパターン４２を読取らせる。ステップＳＰ１８において、ＥＥＰＲＯＭ３３から明暗度調整のための目標値データを読み出す。制御部３１は、調整用シート４０ｂから読取った明暗度調整のためのパターン４２に基づく、画像データが目標値データに一致するように明暗度を調整する。
【００４９】
ステップＳＰ１９において、明暗度の調整が終了したか否かを判別し、終了していれば、ステップＳＰ２０において、解像度調整のために調整用シート４０ｂをセットしてスタートキーを操作するように表示する。サービスマンは、その表示を見て、調整用シート４０ｂを読取部１にセットしてスタートキーを操作する。制御部３１は、ステップＳＰ２１において、スタートキーが操作されたことを判別し、ステップＳＰ２２において、調整用シート４０ｂを自動送りし、読取部１のＣＩＳ素子２１によって解像度調整のためのパターン４３を読取らせる。ステップＳＰ２３において、ＥＥＰＲＯＭ３３から解像度調整のための目標値データを読み出す。調整用シート４０ｂから読取った解像度調整のためのパターン４３に基づく、画像データが目標値データに一致するように解像度を調整する。
【００５０】
ステップＳＰ２４において、解像度の調整が終了したことを判別すると、ステップＳＰ２５において、表示部３４に調整結果を表示する。各調整が正常に終了すれば、例えば「００」と表示し、いずれかの調整でエラーが生じれば該当するエラーコードを「００」以外の数字で表示する。
【００５１】
エラーは、例えば、位置調整では調整用シート４０ｂから読取ったデータが位置調整用でなかったり、調整用シート４０ｂが斜めに載置されて読まれたり、調整された値が調整範囲外の値になっている場合である。また、明暗度調整および解像度調整では、調整用シート４０ｂから読取ったデータが明暗度調整用あるいは解像度調整用でなかったり、調整用シート４０ｂが斜めに読取られたり、あるいは調整用シート４０ｂが汚れていた場合などの場合にエラーとされる。
【００５２】
このように、ＣＩＳ２１によって調整用シート４０ｂを読取ったときの明暗度および解像度を、設定した明暗度および解像度の目標値となるように調整することができる。その結果、明暗度および解像度の目標値を手動で入力する必要がなく、手動で目標値を入力するための時間も不要にでき、目標値を原稿３の表面から読取った画像データと、裏面から読取った画像データの明暗度と解像度とが同じになるように調整することが可能になる。
【００５３】
なお、上述の実施形態では、位置調整のためのブラックパターン４１と、明暗度調整のためのパターン４２と、解像度調整のためのパターン４３とが１枚の調整用シート４０ｂに形成されているものを使用し、各パターン４１，４２，４３ごとに読取りを行うようにしたが、１回の読取りで全てのパターン４１，４２，４３を読取るようにしてもよい。
【００５４】
さらに、各パターン４１，４２，４３が形成された１枚の調整用シート４０ｂを用いることなく、ブラックパターン４１が形成されている第１の調整用シートを用いて位置調整を行った後、明暗度調整のためのパターン４２が形成されている第２の調整用シートを読取って、明暗度調整の目標値に基づいて明暗度を調整し、解像度調整のためのパターン４３が形成されている第３の調整用シートを読取って、解像度調整の目標値に基づいて解像度を調整するようにしてもよい。
【００５５】
また、上述の説明は、この発明の画像形成装置としてデジタル複合機を一例に挙げて説明したが、カラーコピー機や、スキャナや、ファクシミリなどの単体機器にこの発明を適用してもよい。
【００５６】
さらに、上述の説明では、ＣＣＤ素子用の調整用シート４０ａと、ＣＩＳ素子用の調整シート４０ｂとを用いるようにしたが、共通の調整用シートを用いるようにしてもよい。
【００５７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００５８】
【図１】この発明の一実施形態における画像形成装置のブロック図である。
【図２】図１に示した読取部の側面断面図である。
【図３】画像形成装置による画像形成を調整するための調整用シートの一例を示す図である。
【図４】この発明の一実施形態における画像形成装置の裏面調整動作を説明するためのフローチャートであり、特に目標値を設定する動作を示す。
【図５】この発明の一実施形態における画像形成装置の裏面調整動作を説明するためのフローチャートであり、各調整処理を示す。
【符号の説明】
【００５９】
１  読取部、４  給紙コロ、５  分離コロ、６  レジストコロ、７  搬送路、１０，２０  ガラス、１１  読取器、１７  ＣＣＤ素子、２１  ＣＩＳ素子、２６  カバー、３０画像形成装置、３１  制御部、３２  操作部、３３  ＥＥＰＲＯＭ、３４  表示部、３５  印刷部、３６  通信部、４０，４０ａ，４０ｂ  調整用シート。
【図１】
2007325090.tif 000003
【図２】
2007325090.tif 000004
【図３】
2007325090.tif 000005
【図４】
2007325090.tif 000006
【図５】
2007325090.tif 000007